(57)【要約】  第１の物品（１４）を細長い第２の物品（２４）に接続するための接続装置（１０）を提供する。接続装置（１０）は、装置（１０）を細長い第２の物品（２４）に固定するための固定構成（２５）と、接続装置を第１の物品（２４）に取り付けるための取り付け構成（２６）とを備えている。取り付け構成（２６）は、第１の物品（１４）中の開口部（２２）を通して収容可能である。取り付け構成（２６）は、接続装置（１０）を第１の物品（１４）にロックするためのロック構成（４０）を備えている。ロック構成（４０）は、第１の物品（１４）中の開口部によって収容されるように構成されている戻り止め（４２）構造を備えている。【選択図】図１
2019521302.tif 000002
【特許請求の範囲】
【請求項１】
接続装置を第１の物品に取り付けるための取り付け構成であって、
前記取り付け構成は、前記第１の物品中の開口部を通して収容可能であり、
前記取り付け構成は、前記接続装置を前記第１の物品にロックするためのロック構成を備え、
前記ロック構成は、前記第１の物品中の開口部によって収容されるように構成されている戻り止め構造を備える、取り付け構成。
【請求項２】
前記戻り止め構造は、弾性部材を備え、
前記弾性部材は、前記第１の物品中の開口部中に収容可能である、請求項１に記載の取り付け構成。
【請求項３】
前記弾性部材は、実質的にＶ字型であり、前記Ｖ字を形成する対向アームを有する、請求項２に記載の取り付け構成。
【請求項４】
前記アームは、互いから離れて、及び、互いに対して、弾性的に変形可能である、請求項３に記載の取り付け構成。
【請求項５】
前記ロック構成は、前記ロック構成を前記取り付け構成上に据え付けるための据え付け部材を含み、
前記据え付け部材は、前記アームのうちの一方に取り付けられている、請求項３又は４に記載の取り付け構成。
【請求項６】
前記取り付け構成が前記取り付け位置に動かされるとき、前記据え付け部材に取り付けられている前記アームは、弾性的変形位置から非変形位置に移動可能であり、
前記変形位置から前記非変形位置への前記アームの移動は、変形位置から非変形位置への前記弾性部材の移動である、請求項５に記載の取り付け構成。
【請求項７】
前記ロック構成は、前記アームを互いに対して動かすことを促進するように、前記アームのうちの他方に取り付けられている解放タブをさらに含む、請求項５又は６に記載の取り付け構成。
【請求項８】
前記据え付け部材は、前記取り付け構成の一部分が伸長できる穴を規定し、
前記取り付け構成は、前記取り付け構成を固定構成に締結するための締結要素を有し、
前記締結要素は、前記ロック構成を前記取り付け構成上に据え付けるように、前記穴を通して伸長する、請求項５、６、又は７に記載の取り付け構成。
【請求項９】
前記取り付け構成は、取り付け部材を備え、
前記取り付け部材は、前記第１の物品を係合するための第１の突出部と前記第１の物品を通した挿入のための第２の突出部とを備え、
それにより、前記第２の突出部が前記第１の物品を通して挿入されるとき、前記第１の物品の領域は、前記第１及び第２の突出部間に収容されることができ、それによって、前記接続装置を前記第１の物品に取り付ける、請求項８に記載の取り付け構成。
【請求項１０】
前記締結要素は、前記第１の突出部と前記固定構成との間に伸長する、請求項９に記載の取り付け構成。
【請求項１１】
前記締結要素は、前記固定構成上の対応するねじと協同するようにねじ留めされる、請求項１０に記載の取り付け構成。
【請求項１２】
前記第１の突出部は、前記第１の物品の前記領域の第１の面を係合し、
前記第２の突出部は、前記第１の物品の前記領域の対向する第２の面を係合する、請求項９、１０、又は、１１に記載の取り付け構成。
【請求項１３】
前記取り付け構成は、前記第１及び第２の突出部を通して伸長する回転軸を有し、
前記取り付け構成は、前記接続装置を前記第１の物品に取り付けるために、前記軸の周りを、取り付け位置に回転可能であり、
それにより、前記取り付け構成が前記回転軸の周りを回転するとき、前記戻り止め構造は、前記開口部内に収容され、
前記取り付け構成がこのように回転するとき、前記第１の物品の領域は、前記第１及び第２の突出部間に収容されることができる、請求項９から１２のうちのいずれか１項に記載の取り付け構成。
【請求項１４】
前記第２の突出部は、先端面と固定領域を有し、
前記取り付け構成が前記取り付け位置に回転されるとき、前記先端面は、前記第１の物品の前述の領域を横切るための前記第２の突出部の第１の領域であり、
前記取り付け構成が前記取り付け位置にあるとき、前記第２の突出部は、前記第１の物品を係合するための取り付け面を有する、請求項１３に記載の取り付け構成。
【請求項１５】
前記取り付け部材は、前記第１及び第２の突出部の間に伸長するスペーサ部と、前記第１及び第２の突出部の間に規定される間隙をさらに含む、請求項１４に記載の取り付け構成。
【請求項１６】
前記第１及び第２の突出部は、前記締結要素から外側に伸長し、
前記第２の突出部は、それに対して反対方向に前記スペーサ部から伸長する、請求項１５に記載の取り付け構成。
【請求項１７】
前記第１の突出部は、前記締結要素から放射状に伸長し、実質的に円形であり、
前記第２の突出部は、その長さよりも長い幅を有する実質的に長方形である、請求項１６に記載の取り付け構成。
【請求項１８】
前記スペーサ部は、前記取り付け構成の一方向への回転を防止するための停止構造を有する、請求項１５から１７のうちのいずれか１項に記載の取り付け構成。
【請求項１９】
前記取り付け構成が前述の方向に回転するとき、前記停止構造は、前記第１の物品を係合するように構成されている前記スペーサ部の領域を備える、請求項１８に記載の取り付け構成。
【請求項２０】
前記停止構造は、前記スペーサ部の対角線上に対向する領域を備え、
前記領域間の距離は、開口部の幅よりも長い、請求項１９に記載の取り付け構成。
【請求項２１】
前記スペーサ部は、前記第１の物品に対する前記取り付け構成の回転を可能にするための曲がった縁部を有し、
前記スペーサ部は、直径に対向する曲がった縁部を有し、
前記曲がった縁部間の直径距離は、前記第１の物品における前記開口部の幅よりも短い、請求項１５から２０のうちのいずれか１項に記載の取り付け構成。
【請求項２２】
第１の物品を細長い第２の物品に接続するための接続装置であって、
前記接続装置は、
前記接続装置を前記細長い第２の物品に固定するための固定構成と、
前記接続装置を前記第１の物品に取り付けるための取り付け構成とを備え、
前記取り付け構成は、前記第１の物品中の開口部を通して収容可能であり、
前記取り付け構成は、前記接続装置を前記第１の物品にロックするためのロック構成を備え、
前記ロック構成は、前記第１の物品中の開口部によって収容されるように構成されている戻り止め構造を備える、接続装置。
【請求項２３】
前記取り付け構成は、請求項１から２１のうちのいずれか１項に記載されているものである、請求項２２に記載の接続装置。
【請求項２４】
接続装置と第１の物品を備える接続構成であって、
前記接続装置は、
前記接続装置を細長い第２の物品に固定するための固定構成と、
前記接続装置を前記第１の物品に取り付けるための取り付け構成とを備え、
前記取り付け構成は、前記第１の物品中の開口部を通して収容可能であり、
前記取り付け構成は、前記接続装置を前記第１の物品にロックするためのロック構成を備え、
前記ロック構成は、前記第１の物品中の開口部によって収容されるように構成されている戻り止め構造を備える、接続構成。
【請求項２５】
前記第１の物品に取り付けられることができる、複数の接続装置を備える、請求項２４に記載の接続構成。
【請求項２６】
前記第１の物品は、細長い支持体を備える、請求項２４又は２５に記載の接続構成。
【請求項２７】
前記戻り止め構造は、弾性部材を備え、
前記弾性部材は、前記第１の物品中の開口部中に収容可能である、請求項２４、２５、又は、２６に記載の接続構成。
【請求項２８】
前記弾性部材は、実質的にＶ字型であり、前記Ｖ字を形成する対向アームを有する、請求項２７に記載の接続構成。
【請求項２９】
前記アームは、互いから離れて、及び、互いに対して、弾性的に変形可能である、請求項２８に記載の接続構成。
【請求項３０】
前記ロック構成は、前記ロック構成を前記取り付け構成上に据え付けるための据え付け部材を含み、
前記据え付け部材は、前記アームのうちの一方に取り付けられている、請求項２８又は２９に記載の接続構成。
【請求項３１】
前記取り付け構成が前記取り付け位置に動かされるとき、前記据え付け部材に取り付けられている前記アームは、弾性的変形位置から非変形位置に移動可能であり、
前記変形位置から前記非変形位置への前記アームの移動は、変形位置から非変形位置への前記弾性部材の移動である、請求項３０に記載の接続構成。
【請求項３２】
前記ロック構成は、前記アームを互いに対して動かすことを促進するように、前記アームのうちの他方に取り付けられている解放タブをさらに含む、請求項３０又は３１に記載の接続構成。
【請求項３３】
前記据え付け部材は、前記取り付け構成の一部分が伸長できる穴を規定し、
前記取り付け構成は、前記取り付け構成を固定構成に締結するための締結要素を有し、
前記締結要素は、前記ロック構成を前記取り付け構成上に据え付けるように、前記穴を通して伸長する、請求項３０、３１、又は３２に記載の接続構成。
【請求項３４】
前記取り付け構成は、取り付け部材を備え、
前記取り付け部材は、前記第１の物品を係合するための第１の突出部と前記第１の物品を通した挿入のための第２の突出部とを備え、
それにより、前記第２の突出部が前記第１の物品に挿入されるとき、前記第１の物品の領域は、前記第１及び第２の突出部間に収容されることができ、それによって、前記接続装置を前記第１の物品に取り付ける、請求項３３に記載の接続構成。
【請求項３５】
前記締結要素は、前記第１の突出部と前記固定構成との間に伸長する、請求項３４に記載の接続構成。
【請求項３６】
前記締結要素は、前記固定構成上の対応するねじと協同するようにねじ留めされる、請求項３５に記載の接続構成。
【請求項３７】
前記第１の突出部は、前記第１の物品の前記領域の第１の面を係合し、
前記第２の突出部は、前記第１の物品の前記領域の対向する第２の面を係合する、請求項３４、３５、又は、３６に記載の接続構成。
【請求項３８】
前記取り付け構成は、前記第１及び第２の突出部を通して伸長する回転軸を有し、
前記取り付け構成は、前記接続装置を前記第１の物品に取り付けるために、前記軸の周りを、取り付け位置に回転可能であり、
それにより、前記取り付け構成が前記回転軸の周りを回転するとき、前記戻り止め構造は、前記開口部内に収容され、
前記取り付け構成がこのように回転するとき、前記第１の物品の領域は、前記第１及び第２の突出部間に収容されることができる、請求項３４から３７のうちのいずれか１項に記載の接続構成。
【請求項３９】
前記第２の突出部は、使用する際に、前記開口部を通して挿入されてよい、請求項３４から３８のうちのいずれか１項に記載の接続構成。
【請求項４０】
前記第１の物品は、開口部を規定する主要部を備え、
前記第２の突出部は、前記開口部を通して挿入可能であり、
前記第２の突出部が前記開口部を通して挿入されるとき、前記第１の物品の領域は、前記第１及び第２の突出部の間に収容され、
それにより、前記接続装置を前記第１の物品に取り付ける、請求項３４から３９のうちのいずれか１項に記載の接続構成。
【請求項４１】
前記第２の突出部が前記第１の物品を通して挿入されるとき、前記第１の物品の前述の領域は、前記取り付け構成が前記取り付け位置へと回転すると、前記第１及び第２の突出部の間に収容される、請求項３４から４０のうちのいずれか１項に記載の接続構成。
【請求項４２】
前記第２の突出部は、前記第１の突出部にわたって伸長する、請求項３４から４１のうちのいずれか１項に記載の接続構成。
【請求項４３】
前記取り付け構成は、前記第１及び第２の突出部を通して伸長する回転軸の周りを、前記取り付け位置に回転でき、それによって、前記取り付け構成が前記回転軸の周りを回転するとき、前記第１の物品の領域は第１及び第２の突出部の間に収容される、請求項３４から４２のうちのいずれか１項に記載の接続構成。
【請求項４４】
前記取り付け構成の回転は、前述の回転軸の周りを接続装置が回転することによってもたらすことができる、請求項４３に記載の接続構成。
【請求項４５】
前記第２の突出部は、先端面と固定領域を有し、
前記取り付け構成が前記取り付け位置に回転されるとき、前記先端面は、前記第１の物品の前述の領域を横切るための前記第２の突出部の第１の領域であり、
前記取り付け構成が前記取り付け位置にあるとき、前記第２の突出部は、前記第１の物品を係合するための取り付け面を有する、請求項３４から４４のうちのいずれか１項に記載の接続構成。
【請求項４６】
前記取り付け部材は、前記第１及び第２の突出部の間に伸長するスペーサ部と、前記第１及び第２の突出部の間に規定される間隙をさらに含む、請求項４５に記載の接続構成。
【請求項４７】
前記第１及び第２の突出部は、前記締結要素から外側に伸長し、
前記第２の突出部は、それに対して反対方向に前記スペーサ部から伸長する、請求項４６に記載の接続構成。
【請求項４８】
前記第１の突出部は、前記締結要素から放射状に伸長し、実質的に円形であり、
前記第２の突出部は、その長さよりも長い幅を有する実質的に長方形である、
請求項４７に記載の接続構成。
【請求項４９】
前記スペーサ部は、前記取り付け構成の一方向への回転を防止するための停止構造を有する、請求項４６から４８のうちのいずれか１項に記載の接続構成。
【請求項５０】
前記停止構造は、前記取り付け構成が前述の方向に回転するとき、前記第１の物品を係合するように構成されている前記スペーサ部の領域を備える、請求項４９に記載の接続構成。
【請求項５１】
前記停止構造は、前記スペーサ部の対角線上に対向する領域を備え、
前記領域間の距離は、開口部の幅よりも長い、請求項５０に記載の接続構成。
【請求項５２】
前記スペーサ部は、前記第１の物品に対する前記取り付け構成の回転を可能にするための曲がった縁部を有し、
前記スペーサ部は、直径に対向する曲がった縁部を有し、
前記曲がった縁部間の直径距離は、前記第１の物品における前記開口部の幅よりも短い、請求項４６から５１のうちのいずれか１項に記載の接続構成。
【請求項５３】
前記間隙は、前記取り付け面においてよりも、前記先端面においてより大きく、前記先端面は、前記取り付け面に向かって先細になる、請求項４６から５２のうちのいずれか１項に記載の接続構成。
【請求項５４】
前記第１の物品における前記開口部は、細長く、前記第２の突出部の長さよりも長い長さを有し、
前記第１の物品中の前記開口部の幅は、前記第２の突出部の幅よりも長く、
前記第２の突出部の長さは、前記開口部の幅よりも長い、請求項３４から５３のうちのいずれか１項に記載の接続構成。
【請求項５５】
第１の物品を細長い第２の物品に接続する方法であって、
前記方法は、
請求項２４に記載されている接続構成を提供することと、
前記第１の物品中の開口部を通して前記取り付け構成を挿入することと、
前記接続装置を前記第１の物品にロックするために、前記第１の物品中の開口部中に前記戻り止め構造を構成することとを備える、方法。
【請求項５６】
前記取り付け構成は、前記接続装置を前記第１の物品に取り付けるために、前記第１の物品に対して取り付け位置に回転可能であり、
前記取り付け構成がこのように回転するとき、前記戻り止め構造は、前記開口部中に収容可能であり、
前記方法は、前記戻り止め構造が前記第１の物品中の前記開口部中に収容されるように、前記取り付け構成を前記第１の物品に対して回転させることを備える、請求項５５に記載の方法。
【請求項５７】
前記ロック構成は、アームを互いに向けて動かすことを促進するように、前記アームの他方に取り付けられている解放タブをさらに含み、
前記方法は、弾性部材が収容されている前記開口部から前記弾性部材を解放するために、そこに取り付けられている前記アームを非変形位置から変形位置に動かすための前記タブを操作することを備える、請求項５５又は５６に記載の方法。
【発明の詳細な説明】
【技術分野】
【０００１】
本発明は、接続装置に関する。本発明はまた、接続装置及びキャリアを備える接続構成に関する。排他的ではないが、より具体的には、本発明は、物品を支持体から吊り下げるための接続装置に関する。
【背景技術】
【０００２】
天井又は屋根からキャリアを吊り下げることが必要であることが多い。ワイヤ又はケーブルの一端を、屋根の適切な固定ポイントに固定でき、対向端を接続装置に固定できる。接続装置は、キャリアに取り付けられる。接続装置は、キャリアに対してねじれる傾向を有し、結局はそれ自体を緩めることがある。
【０００３】
本発明の１つの態様にしたがうと、接続装置を第１の物品に取り付けるための取り付け構成が提供され、取り付け構成は、第１の物品中の開口部を通して収容可能であり、取り付け構成は、接続装置を第１の物品にロックするためのロック構成を備え、ロック構成は、第１の物品中の開口部によって収容されるように構成されている戻り止め構造を備える。
【０００４】
本発明のさらなる態様にしたがうと、第１の物品を細長い第２の物品に接続するための接続装置が提供され、接続装置は、装置を細長い第２の物品に固定するための固定構成と、接続装置を第１の物品に取り付けるための取り付け構成とを備え、取り付け構成は、第１の物品中の開口部を通して収容可能であり、取り付け構成は、接続装置を第１の物品にロックするためのロック構成を備え、ロック構成は、第１の物品中の開口部によって収容されるように構成されている戻り止め構造を備える。
【０００５】
本発明の別の態様にしたがうと、接続装置と第１の物品を備える接続構成が提供され、接続装置は、接続装置を細長い第２の物品に固定するための固定構成と、接続装置を第１の物品に取り付けるための取り付け構成とを備え、取り付け構成は、第１の物品中の開口部を通して収容可能であり、取り付け構成は、接続装置を第１の物品にロックするためのロック構成を備え、ロック構成は、第１の物品中の開口部によって収容されるように構成されている戻り止め構造を備える。
【０００６】
本発明の別の態様にしたがうと、第１の物品を細長い第２の物品に接続する方法が提供され、方法は、上記で説明した接続構成を提供することと、第１の物品中の開口部を通して前記取り付け構成を挿入することと、接続装置を第１の物品にロックするために、第１の物品中の開口部中に戻り止め構造を構成することとを備える。
【０００７】
第１の物品は、キャリアを備えていてよい。１つの実施形態において、キャリアは、細長くてよい支持体を備えていてよい。キャリアは、細長いストラットを備えていてよい。細長い第２の物品は、ケーブル、ワイヤ、又は、他の類似する物品を備えていてよい。
【０００８】
取り付け構成は、接続装置を第１の物品に取り付けるために、第１の物品に対して取り付け位置に回転可能であってよい。取り付け構成がこのように回転するとき、戻り止め構造は、開口部中に収容可能であってよい。方法は、第１の物品に対する取り付け構成を回転されることを備えていてよく、戻り止め構造は、第１の物品中の開口部中に収容される。
【０００９】
戻り止め構造は、弾性部材を備えてよい。弾性部材は、第１の物品中の開口部中に収容可能であってよい。
【００１０】
弾性部材は、実質的にＶ字形であってよい。弾性部材は、Ｖ字を形成する対向アームを有していてよい。アームは、互いから離れて、及び、互いに対して、弾性的に変形可能であってよい。
【００１１】
ロック構成は、ロック構成を取り付け構成上に据え付けるための据え付け部材を含んでいてよい。据え付け部材は、アームのうちの一方に取り付けられていてよい。
【００１２】
取り付け構成が取り付け位置に動かされるとき、据え付け部材に取り付けられているアームは、弾性的変形位置から非変形位置に動かされてよい。変形位置から非変形位置への前記アームの移動は、変形位置から非変形位置への前記弾性部材の移動であってよい。
【００１３】
据え付け部材は、取り付け構成の一部分が伸長できる穴を規定してよい。取り付け構成は、取り付け構成を固定構成に締結するための締結要素を有していてよい。締結要素は、ロック構成を取り付け構成上に据え付けるように、穴を通して伸長してよい。
【００１４】
ロック構成は、アームを互いに向けて動かすことを促進するように、前記アームの他方に取り付けられている解放タブをさらに含んでいてよい。方法は、弾性部材が収容されている開口部から弾性部材を解放するために、そこに取り付けられている前記アームを非変形位置から変形位置に動かすための前記タブを操作することを備えていてよい。
【００１５】
弾性部材が挿入される開口部は、取り付け構成が収容される開口部と同じであってよい。代替的に、弾性部材が挿入される開口部は、取り付け構成が収容される開口部と異なってよい。
【００１６】
取り付け構成は、取り付け部材を備えていてよい。取り付け部材は、第１の物品を係合するための第１の突出部と第１の物品を通した挿入のための第２の突出部とを備えていてよい。第２の突出部が第１の物品を通して挿入されるとき、第１の物品の領域は、第１及び第２の突出部間に収容されることができ、それによって、接続装置を第１の物品に取り付ける。
【００１７】
第１の突出部は、第１の物品の前記領域の第１の面を係合してよい。第２の突出部は、第１の物品の前記領域の対向する第２の面を係合してよい。
【００１８】
開口部を規定する第１の物品と共に使用するための接続装置の１つの実施形態では、第２の突出部は、使用する際に開口部を通して挿入されてよい。
【００１９】
第１の物品は、開口部を規定してよい主要部を備えてよい。第２の突出部は、開口部を通して挿入されてよく、第２の突出部が前記開口部を通して挿入されるとき、第１の物品の領域は、第１及び第２の突出部の間に収容されることができ、それにより、接続装置を第１の物品に取り付ける。
【００２０】
接続構成は、第１の物品に取り付けられることができる複数の接続装置を備えてよい。
【００２１】
第２の突出部が第１の物品を通して挿入されるとき、第１の物品の前述の領域は、取り付け構成が取り付け位置へと回転すると、第１及び第２の突出部の間に収容されてよい。第２の突出部は、第１の突出部にわたって伸長してよい。
【００２２】
取り付け部材は、第１及び第２の突出部の間に伸長するスペーサ部をさらに含んでよい。間隙は、第１及び第２の突出部の間に規定されてよい。
【００２３】
取り付け構成は、第１及び第２の突出部を通して伸長する回転軸の周りを、取り付け位置に回転してよい。取り付け構成が回転軸の周りを回転するとき、第１の物品の領域は第１及び第２の突出部の間に収容されてよい。取り付け構成の回転は、前述の回転軸の周りを接続装置が回転することによってもたらされてよい。
【００２４】
取り付け部材は、取り付け構成を固定構成に締結するための締結要素を有してよい。締結要素は、第１の突出部と固定構成との間に伸長してよい。締結要素は、固定構成上の対応するねじと協同するようにねじ留めされてよい。
【００２５】
第１の突出部は、締結要素から外側に伸長してよい。第２の突出部は、スペーサ部から外側に伸長してよい。第２の突出部は、それに対して反対方向にスペーサ部から伸長してよい。
【００２６】
第２の突出部は、先端面と固定領域を有してよい。取り付け構成が取り付け位置に回転されるとき、先端面は、第１の物品の前述の領域を横切るための第２の突出部の第１の領域であってよい。取り付け構成が取り付け位置にあるとき、第２の突出部は、第１の物品を係合するための取り付け面を有してよい。
【００２７】
間隙は、取り付け面においてよりも、先端面において、より大きくてよい。先端面は、取り付け面に向かって先細になってよい。
【００２８】
第１の突出部は、締結要素から放射状に伸長し、実質的に円形であってよい。第２の突出部は、その長さよりも長い幅を有する実質的に長方形であってよい。
【００２９】
第１の物品における開口部は、細長く、第２の突出部の長さよりも長い長さを有してよい。第１の物品中の開口部の幅は、第２の突出部の幅よりも長くてよい。
第２の突出部の長さは、開口部の幅よりも長くてよい。
【００３０】
スペーサ部は、取り付け構成の一方向への回転を防止するための停止構造を有してよい。停止構造は、取り付け構成が前述の方向に回転するとき、第１の物品を係合するように構成されているスペーサ部の領域を備えてよい。停止構造は、スペーサ部の対角線上に対向する領域を備えてよく、前記領域間の距離は、開口部の幅よりも長い。
【００３１】
スペーサ部は、第１の物品に対する取り付け構成の回転を可能にするための曲がった縁部を有してよい。スペーサ部は、直径に対向する曲がった縁部を有してよく、曲がった縁部間の直径距離は、第１の物品における開口部の幅よりも短い。
【００３２】
固定構成は、物品を接続装置に固定するための任意の適切な固定構成を備えてよい。
【００３３】
本発明の少なくともの実施形態を、添付の図面を参照して、単なる一例として、これから説明する。
【図面の簡単な説明】
【００３４】
【図１】図１は、接続装置の正面図である。
【図２】図２は、図１中に示す接続装置の側面図である。
【図３】図３は、図１中に示す接続装置の斜視側面図である。
【図４Ａ】図４Ａは、接続構成を形成するために、接続装置を第１の物品に取り付けるステップを示す平面図である。
【図４Ｂ】図４Ｂは、接続構成を形成するために、接続装置を第１の物品に取り付けるステップを示す平面図である。
【図４Ｃ】図４Ｃは、接続構成を形成するために、接続装置を第１の物品に取り付けるステップを示す平面図である。
【図５Ａ】図５Ａは、図４Ａ中の線Ａ−Ａに沿った図である。
【図５Ｂ】図５Ｂは、図４Ｂ中の線Ｂ−Ｂに沿った図である。
【図５Ｃ】図５Ｃは、図４Ｃ中の線Ｃ−Ｃに沿った図である。
【図６】図６は、取り付け部材上に据え付けられているロック構成を示す取り付け構成の側面図である。
【図７】図７は、取り付け構成の一部分である、ロック構成の斜視図である。
【図８】図８は、ロック構成のさらなる側面図である。
【図９】図９は、取り付け構成の一部分である、取り付け部材の斜視図である。
【図１０】図１０は、取り付け部材の側面図である。
【図１１】図１１は、接続装置の断面側面図である。
【図１２】図１２は、２本のケーブルによって吊り下げられる支持体を示す斜視図である。
【発明を実施するための形態】
【００３５】
図１から３は、接続構成１２（図４Ａから４Ｃ、５Ａから５Ｃ参照）の一部として使用するための接続装置１０を示している。接続構成１２は、接続装置１０と、細長い支持体１４を備えるキャリアの形態の第１の物品とを備えている。
【００３６】
支持体１４は、細長い中央ストリップ１８の形態の主要部１６と中央ストリップ１８の対向縁から伸長する２つの細長い実質的に平行な横ストリップ２０とを備える、細長いストラットの形態であり、したがって、支持体１４は実質的にＵ字形の端部プロフィールを有する。
【００３７】
細長いスロット２２の形態の開口部は、横ストリップ２０中及び中央ストリップ１８中に規定される。支持体１４は、建物の屋根又は天井から吊下げられることができ、アイテムを、例えばパイプをそこに取り付けることができる。
【００３８】
接続装置１０は、ケーブル２４の形態で、細長い第２の物品を支持体１４に接続するために設けられ、ケーブル２４を接続装置１０に固定するための固定構成２５と、接続装置１０を支持体に取り付けるための取り付け構成２６とを備えている。固定構成２５は任意の適切な固定構成であることができ、１つの例を以下でより詳細に説明する。
【００３９】
取り付け構成２６は、上面２８Ａとともに第１の突出部２８を有する取り付け部材２７を備えている。取り付け構成２６は、第１の突出部２８の上面２８Ａから固定構成２５に伸長するねじ締結要素３０（図６、９、及び１０参照）をさらに含んでいる。
【００４０】
ねじ締結要素３０は、固定構成２５中の対応するねじ凹部３１にねじ留めされ、それにより、固定構成２５を取り付け部材２７に固定する。
【００４１】
第１の突出部２８は、直さＬ（図６参照）を有し、これは、支持体１４中のスロット２２の幅Ａよりも長い。したがって、以下で説明するように、取り付け部材２７がその取り付け位置にあるとき、第１の突出部は、スロット２２の対抗縁を超えて突出する。
【００４２】
取り付け部材２７は、第２の突出部３２と、第１及び第２の突出部２８、３２の間にスペーサ部３４とをさらに含み、これにより、スペーサ部３４の各側上で、第１及び第２の突出部２８、３２の間に間隙３６が規定される。各間隙３６のサイズは、実質的に、中央ストリップ１８及び横ストリップ２０の厚さに等しく、又はこれより大きく、これにより、支持体１４の領域を間隙３６中に収容できるようにする。
【００４３】
第２の突出部３２は、実質的に長方形であり、第１の突出部２８にわたるその対向する側のスペーサ部３４から突出している。第２の突出部３２は、支持体１４中の細長いスロット２２の幅Ａよりも短い幅Ｂ（図２参照）を有し、長さＣ（図１参照）は、支持体１４中の細長いスロット２２の幅Ａよりも長い。
【００４４】
取り付け部材２７は、第１の突出部２８の上面２８Ａに直立する突起３８をさらに含んでいる。突起３８の目的を以下で説明する。
【００４５】
取り付け構成２６は、接続装置１０を支持体１４にロックするためのロック構成４０（図７及び８参照）をさらに含んでいる。ロック構成４０は、戻り止め構造４２と支持体１４からロック構成１４を解放するための解放タブ４４を備えている。戻り止め構造４２は、Ｖ字型の弾性部材の形態である。接続構成１０が開口部２２のうちの１つにおける取り付け位置にあるとき、戻り止め構造４２は、同じ開口部２２中に収容される。
【００４６】
戻り止め構造４２は、Ｖ字を形成する対向アーム４８、５０を備えている。アームのうちの１つ４８は、据え付け部材５２に取り付けられる。他のアーム５０は、解放タブ４４に取り付けられる。据え付け部材５２は、取り付け構成２６上のロック構成４０に据え付けるように提供される。
【００４７】
据え付け部材５２は、実質的に平らであり、取り付け構成２６上の締結要素３０が収容される実質的に楕円の主穴５４を規定する。据え付け部材は、対向補助穴５６のペアも規定して、突起３８を収容し、これにより、締結要素３０が主穴５４中に収容されるとき、据え付け部材を第１の突出部２８上に位置付ける。したがって、取り付け構成２６を固定構成に締結するために、締結要素３０がねじ凹部３１にねじ留めされるとき、据え付け部材５２は、固定構成２５と取り付け構成２６との間に保持される。これは、ロック構成４０を取り付け構成２６上に固く据え付ける。
【００４８】
使用する際に、取り付け構成２６は、細長いスロット２２のうちの１つに、例えば、支持体１４の横ストリップ２０のうちの１つに挿入され、第１及び第２の突出部２８、３２は、横ストリップ２０の対向する側に配置される（図４Ａと５Ａを参照）。この位置において、スペーサ部３４はスロット２２を通して伸長し、第２の突出部３２は、図４Ａ及び５Ａ中に示すように、細長いスロット２２と平行して伸長する。この位置において、ロック構成４０の弾性部材４２は、横ストリップ２０の最上面を係合し、アーム４８は、図５Ａ中に示すように、上方向に変形される。
【００４９】
固定装置２５は、取り付け位置へと、矢印２９によって示した方向に、回転軸Ｒの周りを回転する（図４Ｃ及び５Ｃ参照）。固定構成２５は、締結要素３０によって取り付け構成２６上に固定的に据え付けられている。したがって、軸Ｒの周りを固定装置２５が回転することは、取り付け位置へと同じ方向に、取り付け構成２６も回転させる。取り付け位置において、第２の突出部３２は、スロット２２に渡って配置され、スロット２２の縁を超えて突出する。
【００５０】
接続装置１０が上記で説明したように回転するとき、第２の突出部３２は、図４Ｃ及び５Ｃ中に示すように、細長いスロット２２へとそれが直角に伸長する位置に動かされる。接続装置１０の回転の間、Ｖ字型の弾性部材４２は、それがスロット２２中に収容される、図４Ｃ及び５Ｃ中に示す位置に動かされる。
【００５１】
図４Ｃ及び５Ｃ中に示す位置において、弾性部材４２がスロット２２中に収容されると、Ｖ字型の弾性部材４２は、非変形位置に動く。弾性部材４２の非変形位置は、図２中に示されている。接続装置１０は、スロット２２の縁を係合するＶ字型の弾性部材によりさらなる回転を防ぎ、これにより、取り付け構成２６の支持体１４からの偶然の解放を防ぐ。
【００５２】
スロット２２から取り付け構成２６を解放することを望む場合、ユーザは、タブ４４を係合し、図５Ａ中に示すように、弾性部材４２をその変形位置に動かすことができ、これにより、弾性部材４２をスロット２２から取り除く。接続装置１０は、その後、スロット２２から取り付け構成２６を取り除くように回転できる。
【００５３】
図１１は、固定構成２５の例をより詳細に示す、接続装置１０の断面図である。固定構成２５は、第１の貫通孔６２を規定する本体６０を備えている。取り付け部材２７は、図１１中に示すように、取り付け構成２７が固定構成２５に締結されるとき、第１の貫通孔６２と並ぶ第２の貫通孔５４を規定する。
【００５４】
固定装置２５は、ボール６８の形態の複数のクランプ部材を運ぶキャリッジ６６を備えるクランプメカニズムをさらに含んでいる。本体は、第１の貫通孔６２の周りに伸長する肩７０をさらに含んでいる。クランプメカニズムは、キャリッジを矢印７４で示す方向に付勢するように、肩からキャリッジに伸長するばね７２を含んでいる。第１の貫通孔６２は、テーパリング領域７６において内側にテーパリングする。したがって、キャリッジを矢印７４で示す方向に付勢することは、ボール６８を互いに付勢する。
【００５５】
ケーブル８０は、矢印７４と反対方向に、第１の貫通孔６２を通して挿入されることができる。ケーブル８０は、ボール６８を係合し、キャリッジ６６を矢印７４と反対方向に押し、これにより、ボール６８を互いに離れて動かす。最終的に、キャリッジは、ケーブル８０がボール６８を押しのけ、第１の貫通孔６２を通し、第２の貫通孔６４を通した位置に達する。ケーブル８０を矢印７４の方向に引くことは、キャリッジ６６を矢印７４の方向に付勢させ、これにより、ケーブル８０をクランプするように、ボール６８を互いに向かって内側に付勢させる。ケーブル８０は、したがって、固定構成２５に固定される。
【００５６】
キャリッジ６６は、矢印７４と反対方向に内側に押されるボタン部を含んでおり、これにより、キャリッジ６６を矢印７４の反対方向に動かす。これは、ボール６８をケーブルから解放し、固定構成２５内のケーブル８０の位置を調整することを可能にする。
【００５７】
接続装置と取り付け構成２６に取り付けされている支持体１４とを吊り下げるために、ケーブル８０は、建物の屋根の適切な固定ポイントに取り付けられることができる。
【００５８】
上記で説明したメカニズムに類似したクランプメカニズムは、特許明細書番号ＵＳ５４１７４００Ａ中に開示されている。
【００５９】
図１２は、２本のケーブル８０によって吊り下げられる支持体１４の例を示している。ケーブル８０は、（示していない）建物の屋根中の適切な固定ポイントへのその上端に、取り付けられることができる。
【００６０】
ケーブル８０の下端領域は、上記で説明した方法で、それぞれの接続装置１０の固定構成２５に固定される。接続装置１０のそれぞれは、支持体１４に取り付けられる。各取り付け構成２６の第２の突出部３２は、スロット２２のうちのそれぞれ１つを通して収容され、戻り止め構造４２は、スロット２２中に収容され、これにより、接続装置１０を図１２中に示す位置にある支持体１４にロックする。
【００６１】
配管又は他の適切な装置を支持体１４に取り付けることができる。
【００６２】
したがって、支持体１４に取り付けられ、建物の屋根から吊り下げられることができる取り付け構成２６を有する接続装置１０があり、接続装置１０は、ロック構成２６によって支持体１４への取り付けにロックされる。
【００６３】
本発明の範囲から逸脱することなく、さまざまな修正を行うことができる。
例えば、他の適切なタイプの固定構成を固定構成２５の代わりに使用できる。
【図１】
2019521302.tif 000003
【図２】
2019521302.tif 000004
【図３】
2019521302.tif 000005
【図４Ａ】
2019521302.tif 000006
【図４Ｂ】
2019521302.tif 000007
【図４Ｃ】
2019521302.tif 000008
【図５Ａ】
2019521302.tif 000009
【図５Ｂ】
2019521302.tif 000010
【図５Ｃ】
2019521302.tif 000011
【図６】
2019521302.tif 000012
【図７】
2019521302.tif 000013
【図８】
2019521302.tif 000014
【図９】
2019521302.tif 000015
【図１０】
2019521302.tif 000016
【図１１】
2019521302.tif 000017
【図１２】
2019521302.tif 000018
【国際調査報告】
2019521302.tif 000019
2019521302.tif 000020